(57)【要約】      （修正有）【課題】簡単に組立てでき、コンパクトな梱包サイズになる段ボールベッドを提供する。【解決手段】段ボールベッドは、３層以上に貼り合わせた段ボールシートの長手方向に沿ってスリットを複数箇所設けた部材Ａ１と部材Ｂ２を、スリットを矢印１−１、２−１の印刷方向が同一方向になるように結合させ、部材Ｃ３を形成させ、部材Ｃ３を複数個並べ、上面に補強板４を載せ、その上面に天板５を載せ、天板５の短手方向両端に複数のスリットを設け、部材Ａ１の短手方向に形成されたスリットに差込み、天板５を固定させる。各部材のサイズを最小化し、梱包時のデッドスペースを最小限にすることにより宅配便輸送が可能なサイズ（３辺合計１６０ｃｍ以下）にする。【選択図】図２
0003235434.tif 000002
【実用新案登録請求の範囲】
【請求項１】
３層以上に貼り合せた段ボールシートの長手方向に沿ってスリットを複数箇所設けた部材Ａ（１）と３層以上に貼り合せた段ボールシートの長手方向に沿ってスリットを複数箇所設けた部材Ｂ（２）において、部材Ａと部材Ｂのスリットを矢印の印刷方向（１−１，２−１）が同一方向になるように結合させ、部材Ｃ（３）を形成させ、部材Ｃ（３）を複数個並べ、上面に補強板（４）を載せ、その上面に天板（５）を載せ、天板（５）の短手方向（両端）に沿って複数のスリットを設け、部材Ａ（１）の短手方向に形成されたスリットに差込み、天板（５）を固定させる機能を備えた事を特徴とする段ボールベット。
【請求項２】
段ボールベッド組立後の梱包箱（８）を再度封緘して、段ボールベッドの短手方向に配置する事により段ボールベッド延長用器具の付属部品として備えた事を特徴とする請求項１に記載の段ボールベット。
【請求項３】
梱包箱（８）の中に折畳みルーフ（６）を収納させた事を特徴とする請求項１に記載の段ボールベット。
【考案の詳細な説明】
【技術分野】
【０００１】本発明は、自然災害等の時に被災者が簡単に組立てられ、子供から高身長の大人まで使用でき、且つ、梱包サイズを宅配便輸送ができる様にコンパクト化した段ボールベッドに関するものである。
【背景技術】
【０００２】実際に段ボールベットを使用する際、お年寄りの方が絵を見て簡単に組立できる形状にする必要があり、また、背の高い大人の方にも身体をくの字に曲げず安心して睡眠がとれるベッドが求められる。
且つ、段ボールベッドは梱包容積が大きいと輸送費も高額になり金額的な負担が大きい為、いかにコンパクトな梱包サイズにするかが必要であった。
【先行技術文献】
【特許文献】
【０００３】
【特許文献１】実用新案登録第３２２６６５０号（Ｕ３２２６６５０）
【考案の概要】
【考案が解決しようとする課題】
【０００４】実際に段ボールベットを使用する際、お年寄りの方が絵を見て簡単に組立できる形状にする必要があり、また、背の高い大人の方にも身体をくの字に曲げず安心して睡眠がとれるベッドが求められる。
且つ、段ボールベッドは梱包容積が大きいと輸送費も高額になり金額的な負担が大きい為、いかにコンパクトな梱包サイズにするかが必要だが、ベッドの機能に求められる強度と相反する部分になり解決することが難しい課題があった。コンパクト［宅配便輸送が可能なサイズ（３辺合計１６０ｃｍ以下）］にして輸送費削減が可能な段ボールベッドを提供することにある。
【課題を解決するための手段】
【０００５】３層以上に貼り合せた段ボールシートの長手方向に沿ってスリットを複数箇所設けた部材Ａ（１）と３層以上に貼り合せた段ボールシートの長手方向に沿ってスリットを複数箇所設けた部材Ｂ（２）において、部材Ａと部材Ｂのスリットを矢印の印刷方向（１−１，２−１）が同一方向になるように結合させ、部材Ｃ（３）を形成させ、部材Ｃ（３）を複数個並べ、上面に補強板（４）を載せ、その上面に天板（５）を載せ、天板（５）の短手方向（両端）に沿って複数のスリットを設け、部材Ａ（１）の短手方向に形成されたスリットに差込み、天板（５）を固定させる機能を備えた事を特徴とする段ボールベット。【０００６】段ボールベッド組立後の梱包箱（８）を再度封緘して、段ボールベッドの短手方向に配置する事により段ボールベッド延長用器具の付属部品として備えた事を特徴とする請求項１に記載の段ボールベット。【０００７】段ボールベットの各部材サイズを最小化し、梱包箱へ収納の際、デッドスペースを最小化することで宅配便輸送が可能なサイズ（３辺合計１６０ｃｍ以下）にする【０００８】梱包箱（８）の中に折畳みルーフ（６）を収納させた事を特徴とする請求項１に記載の段ボールベット。梱包箱の中に折畳みルーフも合わせて収納し、使用する際に、折畳みルーフを組立ててベッドの上に設置することで、近傍を通る人からプライバシーが確保され、また、室内照明からの遮光及び飛沫感染のリスクも減少させる
【考案の効果】
【０００９】３層以上に貼り合せた段ボールシートを用いることにより体格の良い大人でも天板部分が潰れにくい構造になり、３層以上に貼り合せた段ボールシートに矢印の印刷を入れ、矢印を同一方向に向けて差込むことにより組立が容易にできるようになった。【００１１】梱包箱への部材収納時、デッドスペースを極力無くすことにより宅配便輸送が可能になった。（３辺合計１６０ｃｍ以下）。【００１２】梱包箱の中に折畳みルーフも合わせて収納し、使用する際、折畳みルーフを組立ててベッドの上に設置することで、近傍を通る人からプライバシーが確保し、また、室内照明からの遮光及び飛沫感染のリスクも減少させる
【図面の簡単な説明】
【００１３】
【図１】本考案の段ボールベッドの説明図。
【図２】段ボールベッドの説明図。
【図３】段ボールベッドを組立てた後の梱包箱。
【図４】梱包箱を利用して延長された段ボールベッドの説明図。
【考案を実施するための形態】
【００１４】市町村の役所・公民館・市民センターなどに常時保管し、自然災害が発生した際は避難された方々が速やかに組立てを行い、使用することが望ましいと考えます。
【実施例】
【００１５】段ボールベットの天板を外し、基礎部材（井桁に組んだ段ボール）の四角い空間に備品等を収納すれば、整理整頓ができ、少しでも落ち着いた環境が得られると考えます。
【産業上の利用可能性】
【００１６】自然災害時に帰宅困難な方々の為にも事務所・工場・学校等幅広く利用が可能。
【符号の説明】
【００１７】１  部材Ａ
２  部材Ｂ
３  部材Ｃ
４  補強板
５  天板
６  折畳みルーフＡ
７  折畳みルーフＢ
８  梱包箱
【図１】
0003235434.tif 000003
【図２】
0003235434.tif 000004
【図３】
0003235434.tif 000005
【図４】
0003235434.tif 000006
【手続補正書】
【提出日】令和3年6月10日(2021.6.10)
【手続補正１】
【補正対象書類名】実用新案登録請求の範囲
【補正対象項目名】全文
【補正方法】変更
【補正の内容】
【実用新案登録請求の範囲】
【請求項１】
仕切り形状の台座を用いた段ボールベッドにおいて梱包箱サイズを小さくする目的で仕切り部材の体積を小さくして且つ強度アップを図る構造にする為に段ボールＢフルートを３枚貼り合せにすると共に且つ外側の段ボールはコの字にして内側段ボールを挟み込む形状にした事により部材容積を最小限にして段ボールベットとしての平面強度を向上させた機能を備えた組立式段ボールベッド。
【請求項２】
前記段ボールベッドにおいて複数の台座を配置し連結する際に隣接する台座の上に天板をまたがって配置し天板の両端折り曲げ部分の切込み溝を台座の連結方向側面の切込み溝に差込む事により複数の台座が分離しない機能を備え且つ天板の外形寸法を３辺合計１６０ｃｍ以下の梱包箱に合わせた形状にした事を目的とした組立式段ボールベッド。
【請求項３】
前記段ボールベッドにおいて補強板と天板の数量を変える事により個々の突き当て位置が異なる為にベッド使用時に局部的な落ち込みが無くなり均等に平面強度が得られ台座と補強板と天板は各々同一形状であり各々連結する順番の指定はなく組立できる機能を備えた事を目的とした組立式段ボールベッド。
【請求項４】
前記段ボールベッドの部材収納用梱包箱を再度テープ等で封緘して、段ボールベッドの端部に配置する事により段ボールベッド延長用器具の付属部品として備えた事を特徴とする請求項１に記載の段ボールベッド。
【請求項５】
前記段ボールベッドの梱包箱の中に折畳みルーフを収納させた事を特徴とする請求項１に記載の段ボールベット。
【手続補正書】
【提出日】令和3年10月1日(2021.10.1)
【手続補正１】
【補正対象書類名】実用新案登録請求の範囲
【補正対象項目名】全文
【補正方法】変更
【補正の内容】
【実用新案登録請求の範囲】
【請求項１】
仕切り形状の台座を用いた段ボールベッドにおいて梱包箱サイズを小さくする目的で仕切り部材の体積を小さくして且つ強度アップを図る構造にする為に段ボールＢフルートを３枚貼り合せにすると共に且つ外側の段ボールはコの字にして内側段ボールを挟み込む形状にした事により部材容積を最小限にして段ボールベットとしての平面強度を向上させた機能を備えた組立式段ボールベッド。
【請求項２】
前記段ボールベッドにおいて複数の台座を配置し連結する際に隣接する台座の上に天板をまたがって配置し天板の両端折り曲げ部分の切込み溝を台座の連結方向側面の切込み溝に差込む事により複数の台座が分離しない機能を備え且つ天板の外形寸法を３辺合計１６０ｃｍ以下の梱包箱に合わせた形状にした事を目的とした請求項１に記載の段ボールベッド。
【請求項３】
前記段ボールベッドにおいて補強板と天板の数量を変える事により個々の突き当て位置が異なる為にベッド使用時に局部的な落ち込みが無くなり均等に平面強度が得られ台座と補強板と天板は各々同一形状であり各々連結する順番の指定はなく組立できる機能を備えた事を目的とした請求項１に記載の段ボールベッド。
【請求項４】
前記段ボールベッドの部材収納用梱包箱を再度テープ等で封緘して、段ボールベッドの端部に配置する事により段ボールベッド延長用器具の付属部品として備えた事を特徴とする請求項１に記載の段ボールベッド。
【請求項５】
前記段ボールベッドの梱包箱の中に折畳みルーフを収納させた事を特徴とする請求項１に記載の段ボールベット。